(57)【要約】【課題】騒音の大きな環境下で、使用者が圧迫感や不快感を覚えることなく、且つ、ノイズを低減して送受話を行うことができると共に、使用場面を問わない送受話装置を提供する。【解決手段】送受話装置１は、後頭部を周回させるバンド本体１５、その両端側にそれぞれ設けられ耳介に後方から引掛けられる第一耳掛け部１１及び第二耳掛け部１２を備えるヘッドバンド１０と、振動出力デバイスを備えて第一耳掛け部の先端に取り付けられているスピーカ２０と、振動入力デバイスを備えて第二耳掛け部に支持されているマイクロフォン７０とを具備しており、第二耳掛け部は、耳介に沿わせる湾曲部１２ａ、湾曲部の一端から直線状に延設された直棒部１２ｂ、及び、直棒部から交差する方向に突設された円筒部１２ｃを備えており、バンド本体の端部が円筒部に回動可能に嵌入されていると共に、マイクロフォンは直棒部の下端に取り付けられている。【選択図】図１
2017135446.tif 000002
【特許請求の範囲】
【請求項１】
後頭部を周回させる略円弧状に弾性体で形成されたバンド本体、該バンド本体の一端側に該バンド本体と一体または別体に設けられた、耳介に後方から引掛けられる第一耳掛け部、及び、該バンド本体の他端側に該バンド本体と別体に設けられた、耳介に後方から引掛けられる第二耳掛け部を備えるヘッドバンドと、
入力された電気信号を機械的振動に変換して出力する振動出力デバイスを備え、振動伝導面を内側に向けた状態で、前記第一耳掛け部の先端に取り付けられているスピーカと、
ピックアップした機械的振動を電気信号に変換して出力する振動入力デバイスを備え、振動ピックアップ面を内側に向けた状態で、前記第二耳掛け部に支持されているマイクロフォンとを具備しており、
前記第二耳掛け部は、耳介に沿わせる湾曲部、該湾曲部の一端から直線状に延設された直棒部、及び、該直棒部から交差する方向に突設された円筒部を備えており、
前記バンド本体の前記他端側の端部が、前記円筒部に回動可能に嵌入されていると共に、
前記マイクロフォンは前記直棒部の下端に取り付けられている
ことを特徴とする送受話装置。
【請求項２】
前記振動入力デバイスは、前記振動ピックアップ面との当接面を除く全体が、前記振動ピックアップ面より硬度の低い軟質材に埋設されている
ことを特徴とする請求項１に記載の送受話装置。
【発明の詳細な説明】
【技術分野】
【０００１】
本発明は、騒音の大きな環境下でも送受話を行うことができる送受話装置に関するものである。
【背景技術】
【０００２】
工事現場や工場など騒音の大きな環境下で送受話を行うために、従前より、受話についてはイヤホンやヘッドフォンが使用され、送話には口元のごく近くに配した指向性の高い音圧マイクロフォンが使用されていた。しかしながら、受話については、周囲の騒音に負けない音量の音をイヤホンやヘッドフォンで聞くことにより難聴となる問題や、外耳道が塞がれるために周囲の音を聞き取りにくく、危険を察知しにくい、近くの人から話しかけられても気付かない等の問題があった。また、送話については、マイクロフォンが拾う周囲の音情報によるノイズが大きいという問題があった。
【０００３】
一方、騒音の大きな環境下で送話を行うためのマイクロフォンとしては、咽頭部の振動をピックアップして電気信号に変換する咽頭マイクロフォンも使用されている。咽頭マイクロフォンは、音圧マクロフォンに比べれば周囲の騒音の影響を受けにくい利点がある。しかしながら、振動ピックアップ面を咽頭部に圧接させる必要があるため、使用者に圧迫感があるという問題があった。また、振動ピックアップ面を咽頭部に圧接させるために首部に巻き付けるネックバンドに汗が溜まり、使用者が不快に感じるという問題もあった。
【０００４】
このような事情を鑑みて、骨伝導スピーカと骨伝導マイクロフォンの双方をヘルメットに取り付けた双方向通話装置が提案されている（特許文献１参照）。この特許文献１の技術では、骨伝導スピーカはヘルメットのフレーム側部に取り付け、骨伝導マイクロフォンはヘルメットの頭頂部に取り付けている。
【０００５】
しかしながら、工事現場や工場などではヘルメットを被ることは一般的であるものの、騒音の大きい環境としては、ヘルメットを被ることがそぐわない場所もある。大勢の人が集うパーティー会場やイベント会場、街中の雑踏などである。そのため、場面を問わずに使用できる送受話装置に対する要請があった。
【先行技術文献】
【特許文献】
【０００６】
【特許文献１】特許第４０４５１３２号公報
【発明の概要】
【発明が解決しようとする課題】
【０００７】
そこで、本発明は上記の実情に鑑み、騒音の大きな環境下で、使用者が圧迫感や不快感を覚えることなく、且つ、ノイズを低減して送受話を行うことができると共に、使用場面を問わない送受話装置の提供を、課題とするものである。
【課題を解決するための手段】
【０００８】
上記の課題を解決するため、本発明にかかる送受話装置は、
「後頭部を周回させる略円弧状に弾性体で形成されたバンド本体、該バンド本体の一端側に該バンド本体と一体または別体に設けられた、耳介に後方から引掛けられる第一耳掛け部、及び、該バンド本体の他端側に該バンド本体と別体に設けられた、耳介に後方から引掛けられる第二耳掛け部を備えるヘッドバンドと、
入力された電気信号を機械的振動に変換して出力する振動出力デバイスを備え、振動伝導面を内側に向けた状態で、前記第一耳掛け部の先端に取り付けられているスピーカと、
ピックアップした機械的振動を電気信号に変換して出力する振動入力デバイスを備え、振動ピックアップ面を内側に向けた状態で、前記第二耳掛け部に支持されているマイクロフォンとを具備しており、
前記第二耳掛け部は、耳介に沿わせる湾曲部、該湾曲部の一端から直線状に延設された直棒部、及び、該直棒部から交差する方向に突設された円筒部を備えており、
前記バンド本体の前記他端側の端部が、前記円筒部に回動可能に嵌入されていると共に、
前記マイクロフォンは前記直棒部の下端に取り付けられている」ものである。
【０００９】
上記構成では、スピーカは、振動伝導面を内側に向けた状態で第一耳掛け部の「先端」に取り付けられており、第一耳掛け部は使用者の耳介に「後方から」引掛けられるものである。従って、スピーカの振動伝導面は、自ずと耳介の直前の頬骨上で体表面に当接する。これにより、電気信号として入力された音声信号は、スピーカの振動出力デバイスによって機械的振動に変換され、その振動は振動伝導面を介して頬骨に伝導し、頭蓋骨を伝導して蝸牛に到達する。蝸牛で機械的振動は電気信号に変換され、この信号が聴覚神経に送られて脳が音声を認識する。このような骨伝導により、外耳道を介することなく音声が認識されるため、騒音の大きな環境下でイヤホンやヘッドフォンを使用していた従来とは異なり、難聴となるおそれや周囲の音を聞き取りにくいという問題がない。
【００１０】
一方、マイクロフォンは、振動ピックアップ面を内側に向けた状態で、第二耳掛け部に支持されており、具体的には第二掛け部における「直棒部」の下端に取り付けられている。そして、直棒部は湾曲部の一端から延設されており、この湾曲部は耳介に沿わせる部分であって、使用者の耳介に「後方から」引掛けられるものである。つまり、本構成では、直棒部は耳介の後ろで直線状に延びている部分である。従って、マイクロフォンの振動ピックアップ面は、自ずと耳介の後ろで側頭骨から突出している乳様突起の下の部分に当接する。この部分は、声帯で音声が発せられたときに体内組織を伝導してくる振動を、骨に遮られることなく受振することができる部分の一つである。
【００１１】
本発明者が検討した結果、声帯で音声が発せられたときに体内組織を伝導してくる振動は、頬骨より下方の体表面で受振することが可能であった。しかしながら、頬のような柔らかい筋肉部分では、マイクロフォンを安定して支持させることができない。そこで、マイクロフォンの振動ピックアップ面を体表面に当接させた状態を安定させることができ、且つ、従来の咽頭マイクロフォンで採用されていたようなネックバンドを必要としない位置をさがして種々の検討をした結果、振動ピックアップ面を当接させる位置としては、耳介の後ろで側頭骨から突出している乳様突起の下の筋肉部分が最も適していることが分かった。
【００１２】
ここで、騒音の大きな環境下での受話と送話では、ノイズの問題は送話において、より深刻である。送話の際のノイズの原因としては、周囲の音情報を拾ってしまうこと、及びマイクロフォンと体表面との摩擦による振動の発生を挙げることができる。そのため、送話に関しては、振動ピックアップ面を常に体表面にぴったりと、ずれることなく当接させておくことの重要性が高い。振動ピックアップ面が体表面にぴったりと当接していれば、周囲の音が空気を媒体として伝導する振動をピックアップしてしまうことを抑制することができ、振動ピックアップ面が体表面にずれることなく当接していれば、摩擦による振動の発生を抑制することができるからである。
【００１３】
そこで、本発明では、マイクロフォンを支持する第二耳掛け部を、バンド本体の端部側の軸方向に対して回動可能な構成としている。すなわち、第二耳掛け部の直棒部に対して交差する方向に円筒部を設け、この円筒部にバンド本体の端部を回動可能に嵌入しているため、バンド本体に対して円筒部が相対的に回動する。回動の中心軸は、円筒部の軸方向であり、円筒部に挿入されているバンド本体の端部側における軸方向である。つまり、バンド本体に対して円筒部が相対的に回動するのに伴い、第二耳掛け部がバンド本体に対して相対的に回動する。
【００１４】
これにより、使用者の頭部の動きに追随して、第二耳掛け部が回動するため、マイクロフォンの振動ピックアップ面を、常に体表面にぴったりと、ずれることなく当接させた状態に維持しやすく、周囲の音情報や摩擦に起因するノイズを低減することができる。
【００１５】
加えて、仮に、弾性体で形成されたバンド本体の両端に、それぞれスピーカ及びマイクロフォンが直接取り付けられていたとすると、使用者の頭部の大きさやバンド本体の弾性の大きさによっては、バンド本体によって頭部が両側から挟み込まれる力が大き過ぎ、圧迫感を覚えることがある。これに対し、本構成では、第一耳掛け部及び第二耳掛け部のうち少なくとも第二耳掛け部をバンド本体と別体としており、しかも第二耳掛け部をバンド本体に対して回動可能としている。これは、第二耳掛け部に対して、バンド本体を介して第一耳掛け部が回動可能ということでもある。従って、使用者の頭部の大きさ等に個人差があっても、圧迫感を抑制して、マイクロフォンの振動ピックアップ面及びスピーカの振動伝導面の双方を、使用者の体表面に当接させることができる。
【００１６】
そして、本構成では、咽頭マイクロフォンのネックバンドのように皮膚に直接的に巻き付けられる部分を有していないため、汗が溜まって不快に感じるおそれがない。また、ヘッドセット型の送受話装置であるため、外観もスマートで目立ちにくく、場面を問わずに使用することができる。
【００１７】
本発明にかかる送受話装置は、上記構成に加え、
「前記振動入力デバイスは、前記振動ピックアップ面との当接面を除く全体が、前記振動ピックアップ面より硬度の低い軟質材に埋設されている」ものとすることができる。
【００１８】
上述したように、騒音の大きな環境下での受話と送話では、ノイズの問題は送話において、より深刻である。そこで、本構成では、マイクロフォンの振動入力デバイスを、振動ピックアップ面との当接面を除き、振動ピックアップ面より硬度の低い軟質材に埋設する構成を採用した。詳細は後述するように、軟質材によって、振動を減衰させる作用を得ることができる。従って、振動入力デバイスにおいて、振動ピックアップ面との当接面を除く全表面が軟質材によって被覆されている本構成では、声帯で音声が発せられたときに体内組織を伝導してくる振動を、振動ピックアップ面を介して受振するに当たり、その他の方向から伝導してくる周囲の音による振動、すなわち、受振の目的以外の振動を減衰させ、ノイズを低減することができる。
【発明の効果】
【００１９】
以上のように、本発明の効果として、騒音の大きな環境下で、使用者が圧迫感や不快感を覚えることなく、且つ、ノイズを低減して送受話を行うことができると共に、使用場面を問わない送受話装置を、提供することができる。
【図面の簡単な説明】
【００２０】
【図１】本発明の一実施形態である送受話装置の斜視図である。
【図２】（ａ），（ｂ）図１の送受話装置における第二耳掛け部の回動を説明する図である。
【図３】図１の送受話装置を装着した状態を、（ａ）スピーカ側から見た図、及び、（ｂ）マイクロフォン側から見た図である。
【図４】図１の送受話装置の分解斜視図である。
【図５】図１の送受話装置における（ａ）第一振動出力デバイス部分におけるスピーカの断面図、（ｂ）スピーカにおける第二振動出力デバイスの断面図、及び、（ｃ）マイクロフォンの断面図である。
【発明を実施するための形態】
【００２１】
以下、本発明の一実施形態である送受話装置１について、図１乃至図５を用いて説明する。送受話装置１は、ヘッドバンド１０と、入力された電気信号を機械的振動に変換して出力する振動出力デバイス５０を備えるスピーカ２０と、ピックアップした機械的振動を電気信号に変換して出力する振動入力デバイス７１を備えるマイクロフォン７０とを、主な構成としている。
【００２２】
ヘッドバンド１０は、後頭部を周回させる略円弧状に弾性体で形成されたバンド本体１５と、バンド本体１５の一端側に設けられた第一耳掛け部１１と、バンド本体１５の他端側に設けられた第二耳掛け部１２とを備えている。バンド本体１５は、少なくとも第二耳掛け部１２側の端部側では、断面の外形が円形である。バンド本体１５を構成する弾性体としては、金属、樹脂、樹脂で被覆された金属を例示することができる。また、バンド本体１５は、複数の部材から構成させ、隣接する部材を相対的にスライドさせることにより、全体の長さを調整できるものとすることができる。
【００２３】
第一耳掛け部１１は、本実施形態ではバンド本体１５と一体であり、耳介に後方から引掛けられる。具体的には、バンド本体１５の一端側を上方に向かって湾曲させることにより、第一耳掛け部１１が形成されている。
【００２４】
そして、第一耳掛け部１１の先端には、振動伝導面４１を内側に向けた状態で、スピーカ２０が取り付けられている。これにより、第一耳掛け部１１を耳介に後方から引掛けてヘッドバンド１０を頭部に装着すると、図３（ａ）に示すように、スピーカ２０は耳介の直前の頬骨上に位置し、その部分の体表面に振動伝導面４１が当接する。
【００２５】
一方、第二耳掛け部１２はバンド本体１５と別体である点で第一耳掛け部１１と相違するが、耳介に後方から引掛けられる点では第一耳掛け部１１と共通している。第二耳掛け部１２は、円弧状の湾曲部１２ａと、湾曲部１２ａの一端から直線状に延設されて湾曲部１２ａと共に逆Ｊ字形を形成している直棒部１２ｂと、直棒部１２ｂの中途位置で、直棒部１２ｂに対して直交する方向に延設された円筒部１２ｃとを備えている。湾曲部１２ａが、耳介に沿わせる部分、すなわち、耳介に引き掛ける部分である。
【００２６】
円筒部１２ｃの内径は、バンド本体１５における第二耳掛け部１２側の断面の外径より僅かに大きい。これにより、バンド本体１５の端部を円筒部１２ｃに挿入することにより、バンド本体１５と第二耳掛け部１２とを連結することができる。そして、その状態では、図２（ａ），（ｂ）に示すように、第二耳掛け部１２がバンド本体１５に対して円筒部１２ｃの軸（図示、Ｘ方向）周りに相対的に回動する。
【００２７】
そして、第二耳掛け部１２の直棒部１２ｂの下端に、振動ピックアップ面８１を内側に向けた状態で、マイクロフォン７０が取り付けられている。これにより、第二耳掛け部１２を耳介に後方から引掛けてヘッドバンド１０を頭部に装着すると、図３（ｂ）に示すように、直棒部１２ｂは耳介の後ろで上下に延び、マイクロフォン７０の振動ピックアップ面８１は、耳介の後ろで側頭骨から突出している乳様突起の下の部分に当接する。
【００２８】
次に、本実施形態のスピーカ２０及びマイクロフォン７０の具体的な構成を説明する。スピーカ２０は、振動出力デバイス５０と、ケースと、振動伝導板４０を主な構成とする。ケースは、それぞれ有底筒状の第一ケース半体３１及び第二ケース半体３２からなるものであり、両者の開口を合わせて形成される内部空間に、振動出力デバイス５０が収容される。なお、第一ケース半体３１及び第二ケース半体３２それぞれの開口は、パッキング３５を介して嵌め合わされる。また、第一ケース半体３１の内部側では底部から複数の円筒状部３１ｂが立設しており、第二ケース半体３２の底部には複数の孔部３２ｈが貫設されている。従って、第二ケース半体３２の外部から孔部３２ｈを介して円筒状部３１ｂにビス等の留め具（図示しない）を挿入することにより、第一ケース半体３１及び第二ケース半体３２がそれぞれの開口を重ね合わせてケースを形成している状態が保持される。
【００２９】
第一ケース半体３１の底部の外表面には球状のボール部９１ｂが設けられており、第一耳掛け部１１の先端に設けられた円環状のソケット９１ｓと共に、ボールジョイント９１を形成している。
【００３０】
第二ケース半体３２の底部の外表面には、浅い凹部３２ｒが形成されており、第一ケース半体３１及び第二ケース半体３２をビス等で接合した後、この凹部３２ｒに振動伝導板４０が嵌め込まれ固定される。また、第一ケース半体３１及び第二ケース半体３２を嵌め合わせて形成されるケースの側周面には、振動出力デバイス５０に電気信号を入力するための入力コードを、ケースの外部から内部に引き入れるためのコード導入部３９が接続されている。
【００３１】
本実施形態では、振動出力デバイス５０として、対象とする周波数帯と出力が相違する二つを備えている。一つは、周波数帯が１０Ｈｚ〜４０００Ｈｚで出力が２５ｄＢ〜３０ｄＢである第一振動出力デバイス５１であり、もう一つは周波数帯が５０Ｈｚ〜１６００Ｈｚで出力が１０ｄＢ〜２０ｄＢである第二振動出力デバイス５２である。このように周波数帯の異なるデバイスを複数備えることにより、一つのスピーカ２０で広い周波数帯の振動、ひいては広い周波数帯の音声信号を使用者に聴取させることができる。ここで、第一振動出力デバイス５１と第二振動出力デバイス５２とで出力の大きさが異なるのは、高周波数の音声は出力が小さくても聴取できるのに対し、低周波数の音声は出力が大きくないと聴取しにくいためである。
【００３２】
第一振動出力デバイス５１及び第二振動出力デバイス５２は、何れもマグネットコイル式振動デバイスであり、図５（ａ），（ｂ）に示すように、マグネット６１と、マグネット６１が固定された振動板６２と、コイル６３と、ヨーク６４と、これらを保持する保持ケース６５とを備えている。なお、図５（ａ）は、それぞれ第一振動出力デバイス５１の中心を通り互いに直交する二平面で切断した二つの断面を組み合わせた、組み合わせ断面図である。
【００３３】
図５（ａ）に示すように、第一振動出力デバイス５１の振動板６２は連結ピン４５によって第一ケース半体３１と連結されており、振動板６２の振動が伝導されて振動伝導板４０が振動する。この振動伝導板４０の外表面が振動伝導面４１であり、使用者の体表面に当接させる面である。なお、第二振動出力デバイス５２に関する図５（ｂ）ではケースの図示を省略しているが、振動板６２から振動伝導面４１への振動の伝導は、上記と同様である。なお、本書面では、第一振動出力デバイス５１及び第二振動出力デバイス５２を特に区別する必要がない場合に、振動出力デバイス５０と総称している。
【００３４】
マイクロフォン７０は、振動入力デバイス７１と、ケースと、軟質材７５の成形体を主な構成とする。ケースは、有底筒状のケース本体８０と、ケース本体８０の開口を被覆する蓋体８５とからなり、蓋体８５でケース本体８０の開口を閉塞することにより形成される内部空間に、振動入力デバイス７１が収容されている。通常の音圧マイクとは異なり、このケース（ケース本体８０及び蓋体８５）には集音用の貫通孔は設けられていない。空気を媒体とする振動をピックアップの対象としていないためである。
【００３５】
ケース本体８０の内部側では、底面８０ｓから円環状の周壁が立設されており、ケース本体８０の底面８０ｓと周壁とで有底筒状のデバイス収容部８０ｃを形成している。このデバイス収容部８０ｃに振動入力デバイス７１が収容されているが、振動入力デバイス７１は一つの面のみをケース本体８０の底面８０ｓに当接させた状態で、残る全表面、すなわち底面８０ｓに当接している面の反対側の面及び側周面は、軟質材７５で完全に被覆されている。具体的には、軟質材７５は、振動入力デバイス７１が嵌入される凹部７５ｒを有する有底筒状に成形されており、凹部７５ｒの深さは振動入力デバイス７１の高さと同一である。そして、この凹部７５ｒに振動入力デバイス７１が埋設された状態で、凹部７５ｒの開口縁をケース本体８０の底面８０ｓに当接させるように、軟質材７５の成形体がデバイス収容部８０ｃに収容されている。これにより、振動入力デバイス７１の露呈している一面のみが、ケース本体８０の底面８０ｓに当接する。このケース本体８０の底面８０ｓが、振動ピックアップ面８１である。本実施形態では、振動入力デバイス７１として、圧電型の加速度センサを使用している。
【００３６】
ケース本体８０の側周面には、振動入力デバイス７１で変換された電気信号を出力するための出力コードを、ケースの内部から外部に引き出すためのコード導出部８９が形成されている。
【００３７】
蓋体８５の外表面には球状のボール部９２ｂが設けられており、第二耳掛け部１２の直棒部１２ｂの下端に設けられた円環状のソケット９２ｓと共に、ボールジョイント９２を形成している。
【００３８】
上記構成のスピーカ２０及びマイクロフォン７０を備える送受話装置１と、同一構成の他の送受話装置１との間では、次のように送受話が行われる。他の送受話装置１において音声信号から変換された電気信号を受信しスピーカ２０に入力されると、入力された電気信号に基づいて振動出力デバイス５０のコイル６３に交流電流が流れる。これにより、電磁石となったコイル６３に流れる電流の大きさと方向の変化に伴って、コイル６３とマグネット６１との間に引力と反発力が交互に生じ、マグネット６１が固定されている振動板６２が振動する。振動板６２の振動は、連結ピン４５を介して第一ケース半体３１に伝導し、第一ケース半体３１に固定された振動伝導板４０が振動する。振動伝導板４０の振動伝導面４１は使用者の頬骨上の体表面に当接しているため、頬骨を介して頭蓋骨を振動が伝導して蝸牛に到達する。これにより、上述のように使用者は通話相手の音声を脳で認識する。
【００３９】
一方、使用者が音声を発したとき、音声は空気を媒体とする振動として伝導すると共に、声帯の振動が体内組織内を伝導する。マイクロフォン７０は、使用者の体表面に当接させている振動ピックアップ面８１から、体内組織内を伝導してきた振動をピックアップする。ピックアップされた機械的振動は、振動入力デバイス７１によって電気信号に変換され、出力される。振動ピックアップ面８１は、耳介の後ろで側頭骨から突出している乳様突起の下の部分に当接させており、この部分は声帯で音声が発せられたときに体内組織を伝導してくる振動を、骨に遮られることなく受振することができる部分であるため、体内組織を介して安定的に声帯の振動を受振することができる。
【００４０】
加えて、振動入力デバイス７１は、ケース本体８０の底面８０ｓ（振動ピックアップ面８１）に当接している面を除き、軟質材７５に埋設されているため、体内組織を伝導してくる振動以外の振動を、軟質材７５によって減衰させることができる。これにより、振動入力デバイス７１は、周囲の騒音など空気を媒体として伝導してくる振動に起因するノイズが大幅に低減された電気信号を、出力することができる。
【００４１】
ここで、軟質材７５としては、振動ピックアップ面８１の硬度、すなわち、ケース本体８０の底面８０ｓを構成している材料の硬度より、硬度の低い材料を使用する。本実施形態では、ケースの材料はＡＢＳ樹脂としており、検討の結果、次の材料Ｍ１〜Ｍ６が軟質材として適していた。なお、以下に示す硬度は、日本ゴム協会標準規格ＳＲＩＳ０１０１に準拠したアスカーＣ型硬度計により測定したものである。
【００４２】
Ｍ１：軟質ゲル状ポリウレタン（厚さ２ｍｍ、硬度Ｃ５４±５）
Ｍ２：シリコーンフォーム（厚さ１．６ｍｍ、硬度Ｃ６５）
Ｍ３：ポリエチレンフォーム（厚さ１．６ｍｍ、硬度Ｃ２８）
Ｍ４：ブタジエンゴムフォーム、片面にスキン層（厚さ１．６ｍｍ、硬度Ｃ４２）
Ｍ５：クロロプレンゴムフォーム（厚さ１．６ｍｍ、硬度Ｃ９）
Ｍ６：エチレンプロピレンゴム（厚さ５ｍｍ、硬度Ｃ４２）
【００４３】
上記の軟質材に関する検討は、次のように行った。ファンクションジェネレータで周波数帯１０Ｈｚ〜２０ｋＨｚのスイープ信号を発生させ、その振動を、本実施形態のマイクロフォン７０の振動入力デバイス７１と同一の振動入力デバイス７１で受振させた。スイープ信号を直接的に振動入力デバイス７１で受振させた場合と、間に軟質材を挟んで振動入力デバイス７１で受振させた場合とで、振動入力デバイス７１から出力される電気信号を対比した。その結果、軟質材を介することなく直接的にスイープ信号を受振させた場合に振動入力デバイス７１から出力された電気信号は、上記の軟質材Ｍ１〜Ｍ６を介して受振させた場合では、上記の周波数帯の全範囲に亘り殆ど検出されなかった。このことから、上記の軟質材Ｍ１〜Ｍ６によって、空気を媒体として伝導する上記の周波数帯の振動を、効果的に減衰させられることが分かった。
【００４４】
ここで、本実施形態で採用しているように、軟質材７５を予め振動入力デバイス７１を嵌入できる凹部７５ｒを備える成形体としておけば、振動入力デバイス７１において一面のみを残して他の全表面を軟質材７５で被覆する工程が容易であり、マイクロフォン７０の量産に適している。この場合、軟質材７５の成形性を考慮すると、Ｍ１の軟質ゲル状ポリウレタンが好適である。この軟質ゲル状ポリウレタンは、液状のポリウレタン樹脂を型に射出して成形することができる。成形圧力が小さくても成形できるため、成形型として樹脂型を使用することができ、振動入力デバイス７１の形状に対応させた成形が容易である。
【００４５】
上記のようにマイクロフォン７０から出力された電気信号は、他の送受話装置１に送信され、スピーカ２０に入力されることにより、上述の過程を経て通話相手によって音声として認識される。なお、複数の送受話装置１間での電気信号の送受信は、携帯型のトランシーバを介して行うことができる。或いは、Ｂｌｕｅｔｏｏｔｈ（登録商標）などの無線通信規格を使用して、送受信を行うことができる。この場合、電気信号の受信回路、送信回路、及びアンテナが内蔵された携帯型のコントローラを、各送受話装置１が備える構成とすることができる。
【００４６】
以上のように、本実施形態の送受話装置１によれば、空気を媒体として伝導する振動によらず、頭蓋骨を伝導する振動で受話を行い、体内組織を伝導する振動で送話を行うため、騒音の大きな環境下でも送受話を行うことができる。
【００４７】
騒音の大きな環境下での使用において、ノイズの問題が特に大きい送話については、マイクロフォン７０を支持する第二耳掛け部１２を、バンド本体１５の端部側の軸を中心として回動する構成としていることにより、使用者の頭部の動きに追随してマイクロフォン７０が第二耳掛け部１２を介して回動する。これにより、マイクロフォン７０の振動ピックアップ面８１を常に使用者の体表面にぴったりと当接させておくことができるため、周囲の音に起因するノイズを効果に低減することができると共に、振動ピックアップ面８１が体表面に対してずれないように保持することができるため、摩擦に起因するノイズを効果に低減することができる。
【００４８】
また、バンド本体１５に対して第二耳掛け部１２が回動するということは、バンド本体１５を介してスピーカ２０が第二耳掛け部１２に対して回動するということでもあるため、スピーカ２０の振動伝導面４１についても、使用者の体表面にぴったりと、ずれることなく当接させておくことができる。
【００４９】
加えて、スピーカ２０はバンド本体１５に対してボールジョイント９１で接続されていると共に、マイクロフォン７０は第二耳掛け部１２に対してボールジョイント９２で接続されている。これにより、頭部の微小な動きに対しても、スピーカ２０及びマイクロフォン７０が追随し、振動伝導面４１及び振動ピックアップ面８１それぞれの体表面との良好な当接を維持することができる。すなわち、左右に傾動するような頭部の大きな動きに対しては、バンド本体１５に対して第二耳掛け部１２が回動する作用による効果が主に発揮され、頭部の微小な動きに対しては、ボールジョイント９１，９２の作用が主に発揮される。
【００５０】
更に、本実施形態のマイクロフォン７０では、振動入力デバイス７１において、振動ピックアップ面８１との当接面を除く全体が軟質材７５に埋設されているため、振動ピックアップ面８１以外の方向から伝導する振動を減衰させることができ、ノイズを効果的に低減することができる。
【００５１】
また、ヘッドバンド１０において、第一耳掛け部１１及び第二耳掛け部１２のうち、第二耳掛け部１２をバンド本体１５と別体としており、第二耳掛け部１２をバンド本体１５に対して回動する構成としているため、使用者の頭部の大きさ等に個人差があっても、圧迫感を覚えることなく使用することができる。また、送受話装置１は、ネックバンドのように、皮膚に直接的に巻き付けられる部分を有していないため、汗が溜まることに起因する不快感を覚えるおそれがない。
【００５２】
そして、本実施形態の送受話装置１は、ヘッドセットタイプであるため、場面を問わず使用することができる。
【００５３】
以上、好適な実施形態を挙げて説明したが、本発明は上記の実施形態に限定されるものではなく、以下に示すように、本発明の要旨を逸脱しない範囲において、種々の改良及び設計の変更が可能である。
【００５４】
例えば、上記の実施形態では、第一耳掛け部１１及び第二耳掛け部１２のうち、第二耳掛け部１２のみがバンド本体１５と別体である場合を例示したが、第一耳掛け部についてもバンド本体と別体とすることができる。
【００５５】
また、ヘッドバンド１０は、バンド本体１５の両端部近くを連結している連結バンドを備える構成とすることができ、この連結バンドは、ゴム紐等の弾性を有する紐状部材で形成することができる。このような連結バンドが、使用者の頭頂部付近を通るように、ヘッドバンド１０を頭部に装着することにより、送受話装置１の保持状態をより安定させることができる。
【符号の説明】
【００５６】
１  送受話装置
１０  ヘッドバンド
１１  第一耳掛け部
１２  第二耳掛け部
１２ａ  湾曲部
１２ｂ  直棒部
１２ｃ  円筒部
１５  バンド本体
２０  スピーカ
４１  振動伝導面
５０  振動出力デバイス
７０  マイクロフォン
７１  振動入力デバイス
７５  軟質材
８１  振動ピックアップ面
【図１】
2017135446.tif 000003
【図２】
2017135446.tif 000004
【図３】
2017135446.tif 000005
【図４】
2017135446.tif 000006
【図５】
2017135446.tif 000007